(57)【要約】【課題】複数の端子の収容状態を一つのスペーサによって検知可能なコネクタ、を提供すること。【解決手段】コネクタ１は、第１端子が収容される第１端子収容室１１及び第２端子が収容される第２端子収容室１２を有するハウジング２と、第１端子及び第２端子の収容状態を検知するスペーサ３と、を備える。スペーサ３は、第１端子の第１端子収容室１１への正常収容時、第１端子を係止する係止片が第１端子の係止を解除する向きに変形することを抑制し、第１端子の第１端子収容室１１への非正常収容時、係止片に干渉してスペーサ３が正規位置に移動することを妨げる第１検知部２２と、第２端子の第２端子収容室１２への正常収容時、第２端子に係合して第２端子を保持し、第２端子の第２端子収容室１２への非正常収容時、第２端子に干渉してスペーサ３が正規位置に移動することを妨げる第２検知部と、を有する。【選択図】図１
2020068149.tif 000002
【特許請求の範囲】
【請求項１】
第１端子が収容される第１端子収容室と、第２端子が収容される第２端子収容室と、を有するハウジングと、
前記第１端子及び前記第２端子の収容状態を検知するとともに、前記第１端子を前記第１端子収容室に保持し且つ前記第２端子を前記第２端子収容室に保持するスペーサと、
を備える、コネクタであって、
前記スペーサは、
前記ハウジングにおける正規位置に向けて移動しながら前記ハウジングに装着され、
前記第１端子が前記第１端子収容室に正常に収容されていないとき、前記第１端子を係止する係止片に干渉して当該スペーサが前記正規位置に移動することを妨げ、前記第１端子が前記第１端子収容室に正常に収容されているとき、当該スペーサが前記正規位置に移動することを妨げず且つ前記係止片が前記第１端子の係止を解除する向きに変位することを抑制する、第１検知部と、
前記第２端子が前記第２端子収容室に正常に収容されていないとき、前記第２端子に干渉して当該スペーサが前記正規位置に移動することを妨げ、前記第２端子が前記第２端子収容室に正常に収容されているとき、当該スペーサが前記正規位置に移動することを妨げず且つ前記第２端子に係合して前記第２端子が変位することを抑制する、第２検知部と、を有する、
コネクタ。
【請求項２】
請求項１に記載のコネクタにおいて、
前記第１検知部及び前記第２検知部の少なくとも一方は、前記ハウジングに前記スペーサを固定するためのロック機構を有する、
コネクタ。
【請求項３】
請求項１又は請求項２に記載のコネクタにおいて、
前記第１端子は、前記第２端子よりも大型の端子であり、
前記スペーサが前記ハウジングに装着されるとき、前記第１検知部が、前記第１端子収容室への前記第１端子の収容方向に交差する所定の装着方向に沿って移動するとともに、前記第２検知部が、前記装着方向に向けて開口した前記第２端子の係合孔に向けて移動する、
コネクタ。
【発明の詳細な説明】
【技術分野】
【０００１】
本発明は、複数の端子の収容状態を検知可能なスペーサを備えたコネクタ、に関する。
【背景技術】
【０００２】
従来から、ハウジングへの端子の収容状態を検知可能なスペーサ（リテーナと呼ばれる場合もある。）を備えたコネクタが提案されている。例えば、従来のコネクタの一つは、複数の端子収容室を有するハウジングと、各々の端子収容室に設けられたランスと、端子が正常に収容されていればランスに干渉せず且つ端子が正常に収容されていなければランスに干渉するスペーサと、を備える。このコネクタは、ハウジングにスペーサを装着する際にスペーサがランスに干渉するか否かにより、端子が正常に収容されているか否か（以下「収容状態」ともいう。）を検知するようになっている（例えば、特許文献１を参照）。
【先行技術文献】
【特許文献】
【０００３】
【特許文献１】特開２０００−０５８１８１号公報
【発明の概要】
【発明が解決しようとする課題】
【０００４】
ところで、近年、大電流用の大型の端子と、小電流用の小型の端子と、を一つのハウジングに収容可能であるように構成されたコネクタが提案されている。一般に、大型の端子の収容状態を検知する機構（例えば、端子を係止するランスとの干渉の有無）と、小型の端子を検知する機構（例えば、端子自体との干渉の有無）とは異なる。そのため、この種のコネクタでは、一般に、大型の端子の収容状態を検知するスペーサと、小型の端子の収容状態を検知するスペーサと、が別々に設けられることになる。しかし、コネクタを構成する部品の数の低減や、スペーサをハウジングに組み付ける作業の合理化などの観点から、一つのハウジングに複数のスペーサを組み付ける点には改善の余地がある。
【０００５】
本発明は、上述した事情に鑑みてなされたものであり、その目的は、複数の端子の収容状態を一つのスペーサによって検知可能なコネクタ、を提供することにある。
【課題を解決するための手段】
【０００６】
前述した目的を達成するために、本発明に係るコネクタは、下記［１］〜［３］を特徴としている。
［１］
第１端子が収容される第１端子収容室と、第２端子が収容される第２端子収容室と、を有するハウジングと、
前記第１端子及び前記第２端子の収容状態を検知するとともに、前記第１端子を前記第１端子収容室に保持し且つ前記第２端子を前記第２端子収容室に保持するスペーサと、
を備える、コネクタであって、
前記スペーサは、
前記ハウジングにおける正規位置に向けて移動しながら前記ハウジングに装着され、
前記第１端子が前記第１端子収容室に正常に収容されていないとき、前記第１端子を係止する係止片に干渉して当該スペーサが前記正規位置に移動することを妨げ、前記第１端子が前記第１端子収容室に正常に収容されているとき、当該スペーサが前記正規位置に移動することを妨げず且つ前記係止片が前記第１端子の係止を解除する向きに変位することを抑制する、第１検知部と、
前記第２端子が前記第２端子収容室に正常に収容されていないとき、前記第２端子に干渉して当該スペーサが前記正規位置に移動することを妨げ、前記第２端子が前記第２端子収容室に正常に収容されているとき、当該スペーサが前記正規位置に移動することを妨げず且つ前記第２端子に係合して前記第２端子が変位することを抑制する、第２検知部と、を有する、
コネクタであること。
［２］
上記［１］に記載のコネクタにおいて、
前記第１検知部及び前記第２検知部の少なくとも一方は、前記ハウジングに前記スペーサを固定するためのロック機構を有する、
コネクタであること。
［３］
上記［１］又は上記［２］に記載のコネクタにおいて、
前記第１端子は、前記第２端子よりも大型の端子であり、
前記スペーサが前記ハウジングに装着されるとき、前記第１検知部が、前記第１端子収容室への前記第１端子の収容方向に交差する所定の装着方向に沿って移動するとともに、前記第２検知部が、前記装着方向に向けて開口した前記第２端子の係合孔に向けて移動する、
コネクタであること。
【０００７】
上記［１］の構成のコネクタによれば、スペーサに設けられた第１検知部および第２検知部が、それぞれ、第１端子および第２端子の収容状態を検知する。具体的には、第１検知部が第１端子を係止する係止片（例えば、ランス）と干渉するか否かにより、第１端子の収容状態を検知できる。また、第２検知部が第２端子自体と干渉するか否かにより、第２端子の収容状態を検知できる。実際の組み付け時には、第１端子および第２端子の双方が正常に収容されていれば、スペーサを正規位置まで移動でき、第１端子および第２端子の一方または双方が正常に収容されていない場合、スペーサを正規位置に移動できないことになる。即ち、スペーサを正規位置に移動できるか否かにより、第１端子および第２端子の収容状態をひとまとめに検知できることになる。このように、本構成のコネクタは、仮に第１端子と第２端子との大きさが異なっていても、それら複数の端子の収容状態を一つのスペーサによって検知できる。
【０００８】
上記［２］の構成のコネクタによれば、第１検知部および第２検知部の少なくとも一方が、ハウジングにスペーサを固定するためのロック機構を兼ねる。よって、そのようなロック機構を別途設ける場合に比べ、スペーサを小型化できる。スペーサの小型化は、コネクタの小型化にも貢献し得る点で好ましい。
【０００９】
上記［３］の構成のコネクタによれば、大型の第１端子については、その第１端子を係止するランスとの干渉の有無によって第１端子の収容状態を検知し、小型の第２端子については、その第２端子自体との干渉の有無によって第２端子の収容状態を検知する。そして、第１端子の収容方向（通常、ランス等の係止片が延びる方向）に交差するように第１検知部を移動させると、第２端子の係止孔に向けて第２検知部が移動する。このようにスペーサを構成することにより、上記［１］の構成のコネクタを具体的に実現できる。
【発明の効果】
【００１０】
本発明によれば、複数の端子の収容状態を一つのスペーサによって検知可能なコネクタ、を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう
【図面の簡単な説明】
【００１２】
【図１】図１は、本発明の実施形態に係るコネクタの分解斜視図である。
【図２】図２（ａ）は、第２端子が第２端子収容室に収容されておらず且つスペーサがハウジングに装着されていない状態を示す図１のＡ−Ａ断面図に相当する図であり、図２（ｂ）は、第２端子が完全挿入位置にあり且つスペーサが正規位置にある状態を示す図１のＡ−Ａ断面図に相当する図である。
【図３】図３（ａ）は、第１端子が第１端子収容室に収容されておらず且つスペーサが初期位置にある状態を示す図１のＢ−Ｂ断面図に相当する図であり、図３（ｂ）は、第１端子が完全挿入位置にあり且つスペーサが正規位置にある状態を示す図１のＢ−Ｂ断面図に相当する図である。
【図４】図４は、第１端子が中途挿入位置にあることでスペーサが初期位置から正規位置に向けて移動できない状態を示す図１のＣ−Ｃ断面図に相当する図である。
【図５】図５（ａ）は、図４のＤ−Ｄ断面図であり、図５（ｂ）は、図５（ａ）のＥ−Ｅ断面図である。
【図６】図６は、第２端子が中途挿入位置にあることでスペーサが初期位置から正規位置に向けて移動できない状態を示す図１のＡ−Ａ断面図に相当する図である。
【発明を実施するための形態】
【００１３】
＜実施形態＞
以下、図面を参照しながら、本発明の実施形態に係るコネクタ１について説明する。以下、説明の便宜上、以下、図１に示すように、「前後方向」、「幅方向」、「上下方向」、「前」、「後」、「上」、「下」、「一側」、及び「他側」を定義する。「前後方向」、「幅方向」及び「上下方向」は、互いに直交している。前後方向は、第１端子５（図３参照）の第１端子収容室１１への挿入方向、第２端子７（図２参照）の第２端子収容室１２への収容方向、及び、コネクタ１と相手側コネクタ（図示省略）との嵌合方向、と一致しており、相手側コネクタが嵌合する嵌合方向正面側（図１において右下側）が前側とされ、その反対の嵌合方向背面側（図１において左上側）が後側とされている。
【００１４】
図１に示すように、コネクタ１は、ハウジング２と、ハウジング２に幅方向一側から装着されるスペーサ３と、を含んで構成される。以下、ハウジング２及びスペーサ３について順に説明する。
【００１５】
まず、ハウジング２について説明する。図１に示すように、樹脂製のハウジング２は、前後方向に延びる直方体状の本体部２ａと、本体部２ａの幅方向一側側面の前方側部分から直方体状に幅方向一側に張り出す張出部２ｂと、が一体化された形状を有する。
【００１６】
ハウジング２の本体部２ａの内部には、前後方向に貫通する２つの第１端子収容室１１が、上下方向中央位置、及び上下方向中央位置より上側の位置に形成されている。ハウジング２の張出部２ｂの内部には、前後方向に貫通する１つの第２端子収容室１２が、上下方向中央位置より下側の位置に形成されている。
【００１７】
各第１端子収容室１１には、大電流用の太い電線４の端部に接続された大型の第１端子５（メス端子、図３参照）が、後側から挿入されて完全挿入位置（図３（ｂ）参照）に収容されるようになっている。第２端子収容室１２には、小電流用の細い電線６の端部に接続された小型の第２端子７（メス端子、図２参照）が、後側から挿入されて完全挿入位置（図２（ｂ）参照）に収容されるようになっている。
【００１８】
第１端子５は、図３に示すように、前後方向に延びる矩形筒状の箱部３１と、箱部３１の後側に位置すると共に電線４を加締め固定する電線加締め部３２と、を一体に備える。箱部３１の前後方向中央部の下側面には、下方に開口し上方に窪んだランス係合孔３３が形成されている。
【００１９】
第２端子７は、図２に示すように、前後方向に延びる矩形筒状の箱部４１と、箱部４１の後側に位置すると共に電線６を加締め固定する電線加締め部４２と、を一体に備える。箱部４１と電線加締め部４２との間には、幅方向一側に開口し幅方向他側に窪んだ係合孔４３が形成されている。箱部４１の前後方向中央部の幅方向他側面には、幅方向他側に突出するランス係止突起４４が形成されている。
【００２０】
第１、第２端子５，７が完全挿入位置にそれぞれ収容された状態において、コネクタ１に相手側コネクタを嵌合させることで、相手側コネクタに収容されている複数の端子（オス端子、図示省略）が、第１、第２端子収容室１１，１２の前端開口を介して第１、第２端子５，７の箱部３１，４１にそれぞれ挿入されることで、第１、第２端子５，７とそれぞれ電気的に接続されるようになっている。
【００２１】
図３（ａ）に示すように、各第１端子収容室１１には、第１端子収容室１１内に下側から臨むように、片持ち梁状のランス１３が、第１端子収容室１１の前後方向略中央位置から前方へ延びるように設けられている。ランス１３は、第１端子５を第１端子収容室１１内に係止するための係止片である。ランス１３が弾性変形していない正規の姿勢（図３（ａ）に示す姿勢）に維持されているときは、図３（ａ）に示すように、ランス１３の下側に空間１４が確保されている。このため、ランス１３は、正規の姿勢から、空間１４に進入するように下側に弾性変形可能となっている。
【００２２】
第１端子収容室１１内にて、第１端子５が完全挿入位置にあるときは、図３（ｂ）に示すように、ランス１３の先端部が第１端子５のランス係合孔３３に進入してランス係合孔３３の前側縁部と係合する。これにより、ランス１３は、弾性変形していない正規の姿勢に維持されると共に、第１端子５の後側への抜け止め機能を発揮する。一方、第１端子収容室１１内にて、第１端子５が中途挿入位置にあるときには、図５（ａ）に示すように、ランス１３の先端部が、ランス係合孔３３に進入できずに箱部３１の下側面により下向きに押圧される。これにより、ランス１３が、空間１４に進入するように下側に弾性変形した姿勢に維持される。この場合、ランス１３は、第１端子５の抜け止め機能を発揮し得ない。
【００２３】
図２（ａ）に示すように、第２端子収容室１２には、第２端子収容室１２内に幅方向他側から臨むように、片持ち梁状のランス１５が、第２端子収容室１１の前後方向略中央位置から前方へ延びるように設けられている。ランス１５が弾性変形していない正規の姿勢（図２（ａ）に示す姿勢）に維持されているときは、図２（ａ）に示すように、ランス１５の幅方向他側に空間１６が確保されている。このため、ランス１５は、正規の姿勢から、空間１６に進入するように幅方向他側に弾性変形可能となっている。
【００２４】
第２端子収容室１２内にて、第２端子７が完全挿入位置にあるときは、図２（ｂ）に示すように、第２端子７のランス係止突起４４がランス１５の先端部を乗り越えて、ランス１５の先端部がランス係止突起４４の後端面と係合する。これにより、ランス１５は、弾性変形していない正規の姿勢に維持されると共に、第２端子７の後側への抜け止め機能を発揮する。一方、第２端子収容室１２内にて、第２端子７が中途挿入位置にあるときには、図６に示すように、第２端子７のランス係止突起４４がランス１５の先端部に乗り上げた状態にあることで、ランス１５の先端部が、ランス係止突起４４により幅方向他側に押圧される。これにより、ランス１５が、空間１６に進入するように幅方向他側に弾性変形した姿勢に維持される。この場合、ランス１５は、第２端子７の抜け止め機能を発揮し得ない。
【００２５】
図１に示すように、ハウジング２の張出部２ｂの幅方向一側の側面には、スペーサ３を挿入するための矩形状の挿入孔１７が形成されている。挿入孔１７は、幅方向（即ち、スペーサ３の装着方向）に沿って延びており、第１、第２端子収容室１１，１２と連通している。
【００２６】
図５（ｂ）に示すように、挿入孔１７の第１端子収容室１１に対応する上下方向位置における前後方向両側の内壁面には、前後方向に互いに近づくように突出する一対の突起部１８が形成されている。一対の突起部１８は、スペーサ３を初期位置又は正規位置に固定するロック機構の一部を構成している（詳細は後述される）。
【００２７】
図２（ａ）に示すように、挿入孔１７の第２端子収容室１２に対応する上下方向位置における後側の内壁面には、前側に突出する突起部１９が形成されている。突起部１９は、スペーサ３を初期位置又は正規位置に固定するロック機構の一部を構成している（詳細は後述される）。以上、ハウジング２について説明した。
【００２８】
次いで、スペーサ３について説明する。図１に示すように、樹脂製のスペーサ３は、前後方向且つ上下方向に延びる矩形平板状の本体部２１を有する。幅方向からみたとき、本体部２１は、挿入孔１７の輪郭形状に対応する輪郭形状を有している。
【００２９】
本体部２１には、幅方向他側に突出する２つのロック部２２が、上下方向略中央位置及び上端位置に一体で形成され、幅方向他側に突出する１つのロック部２３が、下端位置に一体で形成されている。２つのロック部２２の上下方向位置は、２つの第１端子収容室１１の上下方向位置にそれぞれ対応し、１つのロック部２３の上下方向位置は、１つの第２端子収容室１２の上下方向位置に対応している。
【００３０】
各ロック部２２は、図５（ｂ）に示すように、前後方向に並んで幅方向他側に突出する一対のロック突起２４で構成されている。各ロック突起２４の前後方向外側面には、ロック突起２４の先端部及び根元部にて前後方向外側に突出する第１突起部２５ａ及び第２突起部２５ｂがそれぞれ形成されている。
【００３１】
ロック部２３は、図２（ａ）に示すように、前後方向に並んで幅方向他側に突出する一対のロック突起２６で構成されている。後側のロック突起２６の後側面には、ロック突起２６の先端部にて後側に突出する第１突起部２７が形成されている。また、後側のロック突起２６の後側面には、ロック突起２６の根元部にて後側に突出する第２突起部（図示省略）が形成されている。
【００３２】
スペーサ３における、下側のロック部２２とロック部２３との間の上下方向位置には、幅方向他側に突出する検知片２８が一体で形成されている。ロック部２２，２３、及び、検知片２８の機能については後述する。以上、スペーサ３について説明した。
【００３３】
次いで、コネクタ１の組み付け手順について説明する。まず、スペーサ３をハウジング２において初期位置に装着する。このため、図１に示すように、スペーサ３を、幅方向一側からハウジング２の挿入孔１７に挿入する。スペーサ３が挿入孔１７内を幅方向他側に向けて移動していく際、図４に示すように、スペーサ３の２つのロック部２２（一対のロック突起２４）は、ハウジング２の２つの第１端子収容室１１の空間１４に向けてそれぞれ移動し、スペーサ３のロック部２３（一対のロック突起２６）は、ハウジングの第２端子収容室１２の底壁近傍の特定空間１２ａに向けて移動していく。特定空間１２ａは、第２端子収容室１２内において、第２端子７が前後方向のどの位置にあっても（即ち、完全挿入位置及び中途挿入位置の何れの位置にあっても）、ロック部２３（一対のロック突起２６）の進入が阻害され得ない空間である。
【００３４】
スペーサ３の挿入孔１７への挿入が進行すると、ロック突起２４の第１突起部２５ａ（図５（ｂ）参照）が挿入孔１７の突起部１８に接触し、且つ、ロック突起２６の第１突起部２７（図２（ａ）参照）が挿入孔１７の突起部１９に接触する。
【００３５】
第１突起部２５ａが突起部１８に接触した後は、挿入の進行に伴い、一対のロック突起２４が互いに近づく方向（前後方向内側）に弾性変形することで、第１突起部２５ａが突起部１８に乗り上げる。同様に、第１突起部２７が突起部１９に接触した後は、挿入の進行に伴い、後側のロック突起２６が前側のロック突起２６に近づく方向（前側）に弾性変形することで、第１突起部２７が突起部１９に乗り上げる。
【００３６】
その後、挿入の進行に伴い、第１突起部２５ａが突起部１８を乗り越えることで一対のロック突起２４が互いに弾性復帰する。同様に、第１突起部２７が突起部１９を乗り越えることで後側のロック突起２６が弾性復帰する。これにより、第１突起部２５ａが突起部１８より幅方向他側に位置し且つ第２突起部２５ｂが突起部１８より幅方向一側に位置し（図５（ｂ）参照）、並びに、第１突起部２７が突起部１９より幅方向他側に位置し且つ第２突起部（図示省略）が突起部１９より幅方向一側に位置するようになる。この結果、第１突起部２５ａ及び第２突起部２５ｂが突起部１８と係合し、且つ、第１突起部２７及び第２突起部（図示省略）が突起部１９と係合することで、スペーサ３が初期位置に保持（装着）される。スペーサ３が初期位置にあると、図５（ｂ）から理解できるように、スペーサ３の本体部２１の幅方向一側面がハウジング２の張出部２ｂの幅方向一側面から幅方向一側に突出した状態になる。
【００３７】
このように、スペーサ３が初期位置に保持された状態で、第１端子５及び第２端子７を第１端子収容室１１及び第２端子収容室１２にそれぞれ挿入する。この状態にて、第１端子５が第１端子収容室１１内にて完全挿入位置まで挿入されると、上述したように、ランス１３が正規の姿勢（図３（ａ）に示す姿勢）に維持される。このため、スペーサ３のロック突起２４の先端部が空間１４に進入可能な状態が得られる。また、第２端子７が第２端子収容室１２内にて完全挿入位置まで挿入されると、スペーサ３の検知片２８（図２（ａ）参照）が、第２端子７の係合孔４３（図２（ａ）参照）に進入可能な状態が得られる。
【００３８】
よって、２つの第１端子５及び１つの第２端子７の全てが完全挿入位置にある状態においてのみ、初期位置にあるスペーサ３を幅方向他側へ押すと、ロック突起２４の先端部が空間１４に進入し（図３（ｂ）参照）、且つ、検知片２８が係合孔４３に進入する（図２（ｂ）参照）ことで、スペーサ３が正規位置まで移動する。その際、第２突起部２５ｂが突起部１８を乗り越えて第２突起部２５ｂが突起部１８より幅方向他側に位置し、且つ、第２突起部（図示省略）が突起部１９を乗り越えて第２突起部（図示省略）が突起部１９より幅方向他側に位置するようになる。この結果、第２突起部２５ｂが突起部１８と係合し、且つ、第２突起部（図示省略）が突起部１９と係合することで、スペーサ３が正規位置に保持（装着）される。スペーサ３が正規位置にあると、図２（ｂ）から理解できるように、スペーサ３の本体部２１の幅方向一側面がハウジング２の張出部２ｂの幅方向一側面と面一の状態になる。
【００３９】
スペーサ３が正規位置にある状態では、ロック突起２４の先端部が空間１４に進入することで、ランス１３が第１端子５の係止を解除する向き（下向き）に変形することが抑制されて、第１端子５が完全挿入位置に保持される。加えて、検知片２８が係合孔４３に進入ことで、第２端子７が完全挿入位置に保持される。
【００４０】
一方、第１端子５が中途挿入位置にある状態では、上述したように、ランス１３が空間１４に進入するように幅方向他側に弾性変形した姿勢に維持される。このため、図４及び図５に示すように、ロック突起２４の先端部がランス１３と干渉することで、ロック突起２４の先端部が空間１４に進入不能な状態となる。また、第２端子７が中途挿入位置にある状態では、図６に示すように、検知片２８が第２端子７の箱部４１の幅方向一側面と干渉することで、検知片２８が第２端子７の係合孔４３に進入不能な状態となる。
【００４１】
この結果、２つの第１端子５及び１つの第２端子７のうち少なくとも１つが中途挿入位置にあると、スペーサ３は、初期位置から正規位置に移動できない。このため、スペーサ３の本体部２１の幅方向一側面がハウジング２の張出部２ｂの幅方向一側面から幅方向一側に突出した状態が維持される。このように、スペーサ３が初期位置から正規位置に移動不能であることで、第１端子５及び第２端子７の中途挿入を容易に検知することができる。
【００４２】
以上のように、ロック部２２（第１、第２突起部２５ａ，２５ｂ）及びロック部２３（第１突起部２７及び第２突起部（図示省略））は、それぞれ、突起部１８及び突起部１９と協働して、スペーサ３を初期位置又は正規位置に固定するロック機構を構成している。更に、ロック部２２は、ランス１３との干渉の有無によって第１端子５の収容状態（完全挿入位置にあるか中途挿入位置にあるか）を検知する機能をも果たす。検知片２８は、第２端子７そのものとの干渉の有無によって第２端子７の収容状態（完全挿入位置にあるか中途挿入位置にあるか）を検知する機能を果たす。
【００４３】
＜作用・効果＞
以上、本発明の実施形態に係るコネクタ１によれば、スペーサ３に設けられたロック部２２および検知片２８が、それぞれ、第１端子５および第２端子７の収容状態を検知する。具体的には、ロック部２２は、第１端子５を係止するランス１３との干渉の有無により、第１端子５の収容状態を検知する。検知片２８は、第２端子７そのものとの干渉の有無により、第２端子７の収容状態を検知する。そして、第１端子５および第２端子７の双方が完全挿入位置に収容されていれば、スペーサ３を初期位置から正規位置まで移動でき、第１端子５および第２端子７の一方または双方が中途挿入位置に収容されている場合、スペーサ３を初期位置から正規位置に移動できない。このように、コネクタ１は、本例のように第１端子５と第２端子７との大きさが異なっていても、一つのスペーサ３により、第１端子５および第２端子７の収容状態を検知できる。
【００４４】
更には、ロック部２２が、第１端子５の収容状態を検知する機能を有することに加えて、ハウジング２にスペーサ３を固定するためのロック機構を兼ねる。よって、そのようなロック機構を別途設ける場合に比べ、スペーサ３を小型化できる。スペーサ３の小型化は、コネクタ１の小型化にも貢献する。
【００４５】
更には、大型の第１端子５については、第１端子５を係止するランス１３との干渉の有無によって第１端子５の収容状態を検知し、小型の第２端子７については、第２端子７そのものとの干渉の有無によって第２端子７の収容状態を検知する。そして、スペーサ３を所定の装着方向（幅方向）に沿って移動させることにより、第１端子５の収容状態の検知と、第２端子７の収容状態の検知と、を一括して行うことができる。
【００４６】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
上記実施形態では、第１端子５の収容状態を検知する機能を有するロック部２２（＝第１検知部）が、ハウジング２にスペーサ３を固定するためのロック機構を兼ねている。これに対し、第１端子５の収容状態を検知する機能を有する第１検知部と、ハウジング２にスペーサ３を固定するためのロック機構とを、別個独立して構成してもよい。
【００４８】
更に、上記実施形態では、第１端子５と第２端子７との大きさが異なっている。これに対し、第１端子５の収容状態が第１端子５を係止するランス１３との干渉の有無により検知され、且つ、第２端子７の収容状態が第２端子７そのものとの干渉の有無により検知される限りにおいて、第１端子５と第２端子７との大きさが同じであってもよい。
【００４９】
ここで、上述した本発明に係るコネクタ１の実施形態の特徴をそれぞれ以下［１］〜［３］に簡潔に纏めて列記する。
［１］
第１端子（５）が収容される第１端子収容室（１１）と、第２端子（７）が収容される第２端子収容室（１２）と、を有するハウジング（２）と、
前記第１端子（５）及び前記第２端子（７）の収容状態を検知するとともに、前記第１端子（５）を前記第１端子収容室（１１）に保持し且つ前記第２端子（７）を前記第２端子収容室（１２）に保持するスペーサ（３）と、
を備える、コネクタ（１）であって、
前記スペーサ（３）は、
前記ハウジング（２）における正規位置に向けて移動しながら前記ハウジング（２）に装着され、
前記第１端子（５）が前記第１端子収容室（１１）に正常に収容されていないとき、前記第１端子（５）を係止する係止片（１３）に干渉して当該スペーサ（３）が前記正規位置に移動することを妨げ、前記第１端子（５）が前記第１端子収容室（１１）に正常に収容されているとき、当該スペーサ（３）が前記正規位置に移動することを妨げず且つ前記係止片（１３）が前記第１端子（５）の係止を解除する向きに変位することを抑制する、第１検知部（２２）と、
前記第２端子（７）が前記第２端子収容室（１２）に正常に収容されていないとき、前記第２端子（７）に干渉して当該スペーサ（３）が前記正規位置に移動することを妨げ、前記第２端子（７）が前記第２端子収容室（１２）に正常に収容されているとき、当該スペーサ（３）が前記正規位置に移動することを妨げず且つ前記第２端子（７）に係合して前記第２端子（７）が変位することを抑制する、第２検知部（２８）と、を有する、
コネクタ（１）。
［２］
上記［１］に記載のコネクタ（１）において、
前記第１検知部（２２）及び前記第２検知部（２８）の少なくとも一方は、前記ハウジング（２）に前記スペーサ（３）を固定するためのロック機構を有する、
コネクタ（１）。
［３］
上記［１］又は上記［２］に記載のコネクタ（１）において、
前記第１端子（５）は、前記第２端子（７）よりも大型の端子であり、
前記スペーサ（３）が前記ハウジング（２）に装着されるとき、前記第１検知部（２２）が、前記第１端子収容室（１１）への前記第１端子（５）の収容方向に交差する所定の装着方向に沿って移動するとともに、前記第２検知部（２８）が、前記装着方向に向けて開口した前記第２端子（７）の係合孔（４３）に向けて移動する、
コネクタ（１）。
【符号の説明】
【００５０】
１      コネクタ
２      ハウジング
３      スペーサ
５      第１端子
７      第２端子
１１    第１端子収容室
１２    第２端子収容室
１３    ランス（係止片）
２２    ロック部（第１検知部、ロック機構）
２８    検知片（第２検知部）
４３    係合孔
【図１】
2020068149.tif 000003
【図２】
2020068149.tif 000004
【図３】
2020068149.tif 000005
【図４】
2020068149.tif 000006
【図５】
2020068149.tif 000007
【図６】
2020068149.tif 000008